(57)【特許請求の範囲】
【請求項１】
電気機器における表示装置の表示能力情報を取得する表示能力情報取得部と、
前記電気機器で発生したエラーの種別を示す事象情報を当該電気機器から受信する事象情報受信部と、
前記事象情報受信部によって受信された前記事象情報を記憶する事象情報記憶部と、
前記事象情報記憶部に記憶されている事象情報に基づいて、事象種別毎に事象重要度として、各事象種別の発生頻度を算出する事象重要度算出部と、
前記電気機器の前記表示装置に表示させる表示画面データであって、前記事象種別毎に対応付けられた表示対象パーツ、レイアウト情報、及び、アクション情報を含む表示画面データを、当該表示画面データの表示に必要な表示能力情報と共に、記憶する表示画面データ記憶部と、
前記表示能力情報取得部によって取得された前記表示装置の表示能力情報が、前記表示画面データ記憶部に記憶されている表示画面データの表示能力情報を超えるかを判定する判定部と、
前記判定部によって、前記表示装置の表示能力情報が前記表示画面データの表示能力情報を超えていると判定された場合に、前記表示画面データによる表示領域を拡大し、前記表示画面データに含まれる前記事象種別毎に対応付けられ、前記レイアウト情報が示す位置に配置された表示対象パーツの表示形態を、前記事象重要度算出部によって算出された対応する事象種別の発生頻度が高くなるにつれて拡大するよう変更する表示形態変更部と、
前記表示形態変更部によって表示形態が変更された前記表示画面データを出力し、前記表示画面データに含まれるアクション情報に応じたアクションを実行する表示画面データ出力部と、
前記表示画面データを構成する表示対象パーツを記憶する表示対象パーツ記憶部と、
前記表示対象パーツ記憶部に記憶されている表示対象パーツを前記表示装置に表示し、前記事象種別それぞれと対応付ける表示対象パーツの指定、配置位置を示すレイアウト情報、及び、警告を示すアクション情報を受け付け、受け付けた表示対象パーツ、レイアウト情報、及び、アクション情報から成る表示画面データを作成する生成部と
を備える情報処理装置。
【請求項２】
画像を表示する表示装置と、
前記表示装置の表示能力情報を記憶する表示能力情報記憶部と、
自機器である電気機器で発生したエラーを検知する事象検知部と、
前記事象検知部によって検知されたエラーを示す事象情報を記憶する事象情報記憶部と、
前記事象情報記憶部に記憶されている事象情報に基づいて、事象種別毎に事象重要度として、各事象種別の発生頻度を算出する事象重要度算出部と、
前記事象種別それぞれと対応付ける表示対象パーツの指定、配置位置を示すレイアウト情報、及び、警告を示すアクション情報を受け付け、受け付けた表示対象パーツ、レイアウト情報、及び、アクション情報から成る表示画面データを作成する生成部を備える情報処理装置において生成された前記表示装置の表示画面データであって、前記事象種別毎に対応付けられた表示対象パーツ、レイアウト情報、及び、アクション情報を含む表示画面データを、当該表示画面データの表示に必要な表示能力情報と共に、当該情報処理装置から取得する表示画面データ取得部と、
前記表示能力情報記憶部に記憶されている前記表示装置の表示能力情報が、前記表示画面データ取得部によって取得された表示画面データの表示能力情報を超えるかを判定する判定部と、
前記判定部によって、前記表示装置の表示能力情報が前記表示画面データの表示能力情報を超えていると判定された場合に、前記表示画面データによる表示領域を拡大し、前記表示画面データに含まれる前記事象種別毎に対応付けられ、前記レイアウト情報が示す位置に配置された表示対象パーツの表示形態を、前記事象重要度算出部によって算出された対応する事象種別の発生頻度が高くなるにつれて拡大するよう変更する表示形態変更部と、
前記表示形態変更部によって表示形態が変更された前記表示画面データを前記表示装置に表示させ、前記表示画面データに含まれるアクション情報に応じたアクションを実行させる表示制御部と
を備える電気機器。
【請求項３】
電気機器における表示装置の表示能力情報を取得する表示能力情報取得部と、
前記電気機器で発生したエラーの種別を示す事象情報を当該電気機器から受信する事象情報受信部と、
前記事象情報受信部によって受信された前記事象情報を記憶する事象情報記憶部と、
前記事象情報記憶部に記憶されている事象情報に基づいて、事象種別毎に事象重要度として、各事象種別の発生頻度を算出する事象重要度算出部と、
前記事象種別それぞれと対応付ける表示対象パーツの指定、配置位置を示すレイアウト情報、及び、警告を示すアクション情報を受け付け、受け付けた表示対象パーツ、レイアウト情報、及び、アクション情報から成る表示画面データを作成する生成部を備える情報処理装置において生成された前記電気機器の表示装置の表示画面データであって、前記事象種別毎に対応付けられた表示対象パーツ、レイアウト情報、及び、アクション情報を含む表示画面データを、当該表示画面データの表示に必要な表示能力情報と共に、当該情報処理装置から取得する表示画面データ取得部と、
前記表示能力情報取得部によって取得された前記表示装置の表示能力情報が、前記表示画面データ取得部に取得された表示画面データの表示能力情報を超えるかを判定する判定部と、
前記判定部によって、前記表示装置の表示能力情報が前記表示画面データの表示能力情報を超えていると判定された場合に、前記表示画面データの表示領域の拡大し、前記表示画面データに含まれる前記事象種別毎に対応付けられ、前記レイアウト情報が示す位置に配置された表示対象パーツの表示形態を、前記事象重要度算出部によって算出された対応する事象種別の発生頻度が高くなるにつれて拡大するよう変更する表示形態変更部と、
前記表示形態変更部によって表示形態が変更された前記表示画面データを前記電気機器に出力し、前記表示画面データに含まれるアクション情報に応じたアクションを実行させる表示画面データ出力部と
を備えるサーバ。
【発明の詳細な説明】
【技術分野】
【０００１】
本発明は、情報処理装置、電気機器、及びサーバに関し、特に、電気機器の表示装置に画像を表示させる技術に関する。
【背景技術】
【０００２】
従来から、画像形成装置等の電気機器では、装置前面の操作パネルにＬＣＤ（Liquid Crystal Display）等からなる表示部が設けられ、操作者に対しての各種操作案内を示すメッセージや画像が表示される。このような画像形成装置としては、下記特許文献１に、その表示装置に表示させるための表示画面データを、当該画像形成装置とネットワーク接続されたサーバに格納しておき、画像形成装置が当該サーバから表示画面データを取得することで表示装置の画面表示を行うものが知られている。そして、当該画像形成装置は、サーバから送られてくる表示画面データのままでは、表示装置の表示能力不足を要因として表示不可能である場合には、表示画面データに含まれる複数のボタンを機能毎に集約して生成した階層化メニュー画面を表示する。
【先行技術文献】
【特許文献】
【０００３】
【特許文献１】特開２００９−１８１３７６号公報
【発明の概要】
【発明が解決しようとする課題】
【０００４】
例えば、ネットワーク接続されたサーバから画像形成装置に送られてくる表示画面データが、小サイズの表示パネルを有する表示装置用のデータであり、画像形成装置の表示装置がこれよりも大サイズの表示パネルを有する表示装置用のデータである場合、当該表示画面データを、そのまま当該大サイズの表示パネルを有する表示装置に表示させると、その表示画面が粗く表示される等、表示品質が不十分になるおそれがある。上記特許文献１に示される画像形成装置は、その表示装置の表示能力が、サーバから送られてくる表示画面データを表示するには足りない場合に、当該表示画面データを集約して表示可能にするものであるため、上記小サイズの表示パネル用の表示画面データを、これよりも大きなサイズの表示パネルを有する表示装置に表示させる場合における上記問題を解決することはできない。
【０００５】
本発明は、上記の問題を解決するためになされたものであり、電気機器の表示装置が、当該表示装置での表示には不十分な情報量しかない表示画面データを表示する場合であっても、電気機器で生じる各事象の重要度に応じてカスタマイズされた表示画面を、当該電気機器の表示装置に表示させることを目的とする。
【課題を解決するための手段】
【０００６】
請求項１に記載の発明は、電気機器における表示装置の表示能力情報を取得する表示能力情報取得部と、
前記電気機器で発生したエラーの種別を示す事象情報を当該電気機器から受信する事象情報受信部と、
前記事象情報受信部によって受信された前記事象情報を記憶する事象情報記憶部と、
前記事象情報記憶部に記憶されている事象情報に基づいて、事象種別毎に事象重要度として、各事象種別の発生頻度を算出する事象重要度算出部と、
前記電気機器の前記表示装置に表示させる表示画面データであって、前記事象種別毎に対応付けられた表示対象パーツ、レイアウト情報、及び、アクション情報を含む表示画面データを、当該表示画面データの表示に必要な表示能力情報と共に、記憶する表示画面データ記憶部と、
前記表示能力情報取得部によって取得された前記表示装置の表示能力情報が、前記表示画面データ記憶部に記憶されている表示画面データの表示能力情報を超えるかを判定する判定部と、
前記判定部によって、前記表示装置の表示能力情報が前記表示画面データの表示能力情報を超えていると判定された場合に、前記表示画面データによる表示領域を拡大し、前記表示画面データに含まれる前記事象種別毎に対応付けられ、前記レイアウト情報が示す位置に配置された表示対象パーツの表示形態を、前記事象重要度算出部によって算出された対応する事象種別の発生頻度が高くなるにつれて拡大するよう変更する表示形態変更部と、
前記表示形態変更部によって表示形態が変更された前記表示画面データを出力し、前記表示画面データに含まれるアクション情報に応じたアクションを実行する表示画面データ出力部と、
前記表示画面データを構成する表示対象パーツを記憶する表示対象パーツ記憶部と、
前記表示対象パーツ記憶部に記憶されている表示対象パーツを前記表示装置に表示し、前記事象種別それぞれと対応付ける表示対象パーツの指定、配置位置を示すレイアウト情報、及び、警告を示すアクション情報を受け付け、受け付けた表示対象パーツ、レイアウト情報、及び、アクション情報から成る表示画面データを作成する生成部と
を備えるものである。
【０００７】
この発明に係る情報処理装置は、電気機器の表示装置に表示させる表示画面データに含まれて上記事象毎に対応付けられた表示対象パーツの表示形態が、上記算出された事象種別の事象重要度に応じて変更された上で、上記表示画面データが電気機器に送信されるので、電気機器で生じる各事象の重要度に応じてカスタマイズされた表示画面を、当該電気機器の表示装置に表示させることが可能になる。
【０００８】
請求項２に記載の発明は、画像を表示する表示装置と、
前記表示装置の表示能力情報を記憶する表示能力情報記憶部と、
自機器である電気機器で発生したエラーを検知する事象検知部と、
前記事象検知部によって検知されたエラーを示す事象情報を記憶する事象情報記憶部と、
前記事象情報記憶部に記憶されている事象情報に基づいて、事象種別毎に事象重要度として、各事象種別の発生頻度を算出する事象重要度算出部と、
前記事象種別それぞれと対応付ける表示対象パーツの指定、配置位置を示すレイアウト情報、及び、警告を示すアクション情報を受け付け、受け付けた表示対象パーツ、レイアウト情報、及び、アクション情報から成る表示画面データを作成する生成部を備える情報処理装置において生成された前記表示装置の表示画面データであって、前記事象種別毎に対応付けられた表示対象パーツ、レイアウト情報、及び、アクション情報を含む表示画面データを、当該表示画面データの表示に必要な表示能力情報と共に、当該情報処理装置から取得する表示画面データ取得部と、
前記表示能力情報記憶部に記憶されている前記表示装置の表示能力情報が、前記表示画面データ取得部によって取得された表示画面データの表示能力情報を超えるかを判定する判定部と、
前記判定部によって、前記表示装置の表示能力情報が前記表示画面データの表示能力情報を超えていると判定された場合に、前記表示画面データによる表示領域を拡大し、前記表示画面データに含まれる前記事象種別毎に対応付けられ、前記レイアウト情報が示す位置に配置された表示対象パーツの表示形態を、前記事象重要度算出部によって算出された対応する事象種別の発生頻度が高くなるにつれて拡大するよう変更する表示形態変更部と、
前記表示形態変更部によって表示形態が変更された前記表示画面データを前記表示装置に表示させ、前記表示画面データに含まれるアクション情報に応じたアクションを実行させる表示制御部と
を備える電気機器である。
【０００９】
この発明に係る電気機器は、表示装置に表示させる表示画面データに含まれて上記事象毎に対応付けられた表示対象パーツの表示形態を、上記算出された事象種別の事象重要度に応じた表示形態に変更するので、電気機器で生じる各事象の重要度に応じてカスタマイズされた表示画面を、当該電気機器の表示装置に表示させることが可能になる。
【００１０】
請求項３に記載の発明は、電気機器における表示装置の表示能力情報を取得する表示能力情報取得部と、
前記電気機器で発生したエラーの種別を示す事象情報を当該電気機器から受信する事象情報受信部と、
前記事象情報受信部によって受信された前記事象情報を記憶する事象情報記憶部と、
前記事象情報記憶部に記憶されている事象情報に基づいて、事象種別毎に事象重要度として、各事象種別の発生頻度を算出する事象重要度算出部と、
前記事象種別それぞれと対応付ける表示対象パーツの指定、配置位置を示すレイアウト情報、及び、警告を示すアクション情報を受け付け、受け付けた表示対象パーツ、レイアウト情報、及び、アクション情報から成る表示画面データを作成する生成部を備える情報処理装置において生成された前記電気機器の表示装置の表示画面データであって、前記事象種別毎に対応付けられた表示対象パーツ、レイアウト情報、及び、アクション情報を含む表示画面データを、当該表示画面データの表示に必要な表示能力情報と共に、当該情報処理装置から取得する表示画面データ取得部と、
前記表示能力情報取得部によって取得された前記表示装置の表示能力情報が、前記表示画面データ取得部に取得された表示画面データの表示能力情報を超えるかを判定する判定部と、
前記判定部によって、前記表示装置の表示能力情報が前記表示画面データの表示能力情報を超えていると判定された場合に、前記表示画面データの表示領域の拡大し、前記表示画面データに含まれる前記事象種別毎に対応付けられ、前記レイアウト情報が示す位置に配置された表示対象パーツの表示形態を、前記事象重要度算出部によって算出された対応する事象種別の発生頻度が高くなるにつれて拡大するよう変更する表示形態変更部と、
前記表示形態変更部によって表示形態が変更された前記表示画面データを前記電気機器に出力し、前記表示画面データに含まれるアクション情報に応じたアクションを実行させる表示画面データ出力部と
を備えるサーバである。 
【００１１】
この発明に係るサーバは、表示装置に表示させる表示画面データに含まれて上記事象毎に対応付けられた表示対象パーツの表示形態を、上記算出された事象種別の事象重要度に応じた表示形態に変更して当該電気機器に送信するので、電気機器で生じる各事象の重要度に応じてカスタマイズされた表示画面を、当該電気機器の表示装置に表示させることが可能になる。
【発明の効果】
【００１２】
本発明によれば、電気機器の表示装置が、当該表示装置での表示には不十分な情報量しかない表示画面データを表示する場合であっても、電気機器で生じる各事象の重要度に応じてカスタマイズされた表示画面を、当該電気機器の表示装置に表示させることを可能にすることができる。
【図面の簡単な説明】
【００１３】
【図１】本発明の一実施形態に係る情報処理装置、電気機器、及びサーバを備えた動作制御システムの実施形態を示す図である。
【図２】第１実施形態に係る動作制御システムのサーバコンピュータ、ＰＣ及び複合機についてパネル制御情報の生成処理、表示部での画面表示、及び動作制御に必要な構成を示す図である。
【図３】複合機及びサーバコンピュータによる表示画面生成のための通信処理の第１実施形態を示すフローチャートである。
【図４】（ａ）（ｂ）は表示画面の一例を示す図である。
【図５】第２実施形態に係る動作制御システムのサーバコンピュータ、ＰＣ及び複合機についてパネル制御情報の生成処理、表示部での画面表示、及び動作制御に必要な構成を示す図である。
【図６】第２実施形態に係る動作制御システムでの複合機１及びサーバコンピュータによる表示画面生成のための通信処理を示すフローチャートである。
【図７】ＰＣ及びサーバコンピュータによる表示画面作成時の処理を示す図である。
【図８】図８はカスタマイズ受付画面の一例を示す図である。
【図９】第３実施形態に係る動作制御システムのサーバコンピュータ、ＰＣ及び複合機について動作制御プログラムの生成処理、表示部での画面表示、及び動作制御に必要な構成を示す図である。
【図１０】第３実施形態に係る動作制御システムでの複合機及びサーバコンピュータによる表示画面生成のための通信処理を示すフローチャートである。
【図１１】（ａ）（ｂ）は表示画面の一例を示す図である。
【図１２】第４実施形態に係る動作制御システムのサーバコンピュータ、ＰＣ及び複合機についてパネル制御情報の生成処理、表示部での画面表示、及び動作制御に必要な構成を示す図である。
【図１３】複合機及びサーバコンピュータによる表示画面生成のための通信処理の第４実施形態を示すフローチャートである。
【図１４】他の実施形態に係る動作制御システムのサーバコンピュータ、ＰＣ及び複合機についてパネル制御情報の生成処理、表示部での画面表示、及び動作制御に必要な構成を示す図である。
【図１５】他の実施形態に係る動作制御システムのサーバコンピュータ、ＰＣ及び複合機についてパネル制御情報の生成処理、表示部での画面表示、及び動作制御に必要な構成を示す図である。
【発明を実施するための形態】
【００１４】
以下、本発明の一実施形態に係る情報処理装置、電気機器、及びサーバについて図面を参照して説明する。
【００１５】
図１は本発明の一実施形態に係る情報処理装置、電気機器、及びサーバを備えた動作制御システムの実施形態を示す図である。動作制御システム１０は、複合機１と、サーバコンピュータＳＶ２と、各パーソナルコンピュータ（以下、ＰＣ）３１乃至３４とでなる。但し、動作制御システム１０が備える複合機、サーバコンピュータ、及びＰＣの台数はこれに限定されない。
【００１６】
電気機器及び画像形成装置の一例である複合機１は、コピー機能、ファクシミリ機能、プリンタ機能、スキャナ機能等の機能を兼ね備えている。さらに、複合機１は、スキャナ部で読み取った原稿の文書データを複合機１の内部記憶装置や、ＬＡＮ（local area network）等によって複合機１にネットワーク接続されたサーバコンピュータＳＶ２、各ＰＣ３１乃至３４内の記憶部等に格納すると共に、複合機１の内部記憶装置、サーバコンピュータＳＶ２及び各ＰＣ３１乃至３４内の記憶部に記憶されているプリント対象データを読み出してプリントアウトする等を行う文書管理機能を備えている。複合機１には、ＬＣＤ（Liquid Crystal Display）からなる表示部５０が備えられている。
【００１７】
また、サーバコンピュータＳＶ２は、複合機１における表示部５０の表示制御に供するパネル表示制御情報を生成するアプリケーション（パネルクリエータ）が、後述する記憶部２６にインストールされている。
【００１８】
ＰＣ３１乃至ＰＣ３４は、ウェブブラウザを介してサーバコンピュータＳＶ２の上記アプリケーションにアクセスし、当該ウェブブラウザ上で操作者が当該アプリケーションを操作して上記パネル制御情報を作成可能とされている。
【００１９】
複合機１は、ＰＣ３１乃至ＰＣ３４から、ＬＡＮ（Local Area Network）又はUSBメモリ等を介して上記表示画面データをパネル制御情報として受け取って記憶し、このパネル制御情報を用いて、後述する拡張アプリケーションが、表示部５０による画面表示を制御し、当該発生した事象を示す案内画面を表示部５０に表示させる。当該パネル制御情報の生成処理、複合機１における上記表示画面を表示するための構成及び処理は後述する。
【００２０】
次に、サーバコンピュータＳＶ２、ＰＣ３１乃至３４、及び複合機１の内部構成であって、表示画面データの生成処理、画面表示、及び動作制御に必要な構成を説明する。図２は、第１実施形態に係る動作制御システム１０のサーバコンピュータ、ＰＣ及び複合機についてパネル制御情報の生成処理、表示部５０での画面表示、及び動作制御に必要な構成を示す図である。なお、ＰＣ３１乃至３４で行われる処理に必要な構成は同様であるため、以下にはＰＣ３１の構成を示す。
【００２１】
サーバコンピュータＳＶ２は、パネルクリエータ部２５を備える。パネルクリエータ部２５は、複合機１の表示部５０に表示させる表示画面の表示画面データを、例えばXML（Extensible Markup Language）形式のデータで生成し、当該XML形式データをベースとするパネル制御情報を生成するツールである。パネルクリエータ部２５は、表示画面を構成する各種ボタン等の各表示対象パーツのカスタマイズをユーザから受け付けて上記表示画面データを生成する処理を行う。なお、本実施形態では、パネルクリエータ部２５は、ＰＣ３１のウェブブラウザ３１００を介して当該ＰＣ３１において操作者により操作されることで、上記表示画面の生成操作が行われる。
【００２２】
パネルクリエータ部２５は、判定部２５７と、表示形態変更部２５８と、機種指定受付部２５１と、機種指定受付部２５１と、パーツ指定受付部２５２と、レイアウト情報受付部２５４と、アクション指示受付部２５３と、生成部２５５として機能する。
【００２３】
なお、後述する記憶部２６は、操作者による機種指定受付部２５１、パーツ指定受付部２５２、レイアウト情報受付部２５４、及びアクション指示受付部２５３の操作の下、生成部２５５によって生成された表示画面データを、当該表示画面データの表示に必要な表示能力情報と共に記憶する。当該表示画面データは、複合機１の表示部５０に表示させる表示対象パーツを含む表示画面データである。
【００２４】
判定部２５７は、記憶部２６に記憶されている表示画面データの送信を要求してきた複合機１の表示部５０の表示性能を示す表示能力情報が、当該表示画面データについての表示能力情報を超えるかを判定する。この複合機１からの表示画面データの送信要求及び表示部５０の表示能力情報は、通信部２８により複合機１から受信される。すなわち、複合機１は、パネル制御情報の送信要求と共に、自身に設けられている表示部５０の表示能力情報をサーバコンピュータＳＶ２に送信する。サーバコンピュータＳＶ２では、通信部２８が当該表示能力情報を受信し、判定部２５７が、当該受信された表示能力情報が、記憶部２６に記憶されている表示画面データに対応付けられている表示能力情報を超えるかを判定する。
【００２５】
なお、表示画面データを表示する複合機１の表示部５０の表示能力情報は、(1)操作者によるサーバコンピュータＳＶ２の操作部（図略）の操作により入力されるようにしてもよいし、或いは、(2)操作者の操作者によりＰＣ３１から当該送信要求がサーバコンピュータＳＶ２に送信され、通信部２８により受信されるようにしてもよい。これらの場合、当該複合機１に対しては、表示対象とされる表示画面データ（パネル制御情報）は、ＰＣ３１を介して送信されるか、ＰＣ３１においてUSBメモリ等の外部メモリに保存されて当該USBメモリ等を介して入力される。
【００２６】
表示形態変更部２５８は、上記送信要求を送ってきた複合機１の表示部５０の表示能力情報が、記憶部２６に記憶されている表示画面データの表示能力情報を超えていると判定部２５７によって判定された場合に、当該表示画面データの表示領域の拡大と、当該拡大された表示領域に合わせた表示対象パーツの配置変更とを、当該表示部５０の表示能力情報に対して予め定められたルールに従って行う。当該予め定められたルールに従った表示形態の変更処理の詳細は後述する。
【００２７】
機種指定受付部２５１は、操作者から、パネルクリエータ部２５により作成する表示画面データの表示を行う複合機１の機種の指定を受け付ける。機種指定受付部２５１は、予め保有している複合機１の各機種情報と、当該機種情報が示す機種の複合機１で用いられる表示部５０の表示性能（解像度、表示画面面積等）を示す表示能力情報との対応情報に基づいて、当該操作者により指定された機種が示す複合機１の表示部５０の表示能力情報を特定する。機種指定受付部２５１は、当該特定した表示能力情報を生成部２５５に渡す。
【００２８】
パーツ指定受付部２５２は、当該複合機１の表示部５０の表示画面内に表示させる例えば文字列や当該文字列と共に表示させる操作ボタン等でなる表示対象パーツの指定を、ＰＣ３１からウェブブラウザ３１００を介して操作者から受け付ける。操作者が指定可能な複数の表示対象パーツの画像データは、上記表示対象パーツ記憶部２５０３に記憶されている。パーツ指定受付部２５２は、ＰＣ３１のウェブブラウザ３１００からパネルクリエータ部２５の起動指示を受け取ったとき、操作者に選択させるための表示対象パーツの画像データをウェブブラウザ３１００に引き渡す。
【００２９】
例えば、ユーザによるＰＣ３１のウェブブラウザ３１００の操作により当該ウェブブラウザ３１００からパネルクリエータ部２５のパーツ指定受付部２５２に、当該パネルクリエータ部２５の起動指示が受け付けられると、このパーツ指定受付部２５２は、ウェブブラウザ３１００に、操作者に選択させるための各表示対象パーツを含むカスタマイズ受付画面の表示データを提供する。ウェブブラウザ３１００は、ＰＣ３１の表示部３１３に当該カスタマイズ受付画面を表示させる。このカスタマイズ受付画面は、上記表示対象パーツ等を表示した画面である。当該カスタマイズ受付画面で表示中の表示対象パーツから、所望の表示対象パーツがウェブブラウザ３１００の操作で操作者により指定されると、当該ウェブブラウザ３１００が当該表示対象パーツの指定指示をサーバコンピュータＳＶ２に送信し、パーツ指定受付部２５２が、当該指定指示が示す表示対象パーツの指定を受け付ける。
【００３０】
例えば、ウェブブラウザ３１００は、ＰＣ３１の表示部３１３に当該カスタマイズ画面を表示させているとき、このカスタマイズ画面には複数の表示対象パーツが表示され、当該表示中の表示対象パーツから所望の表示対象パーツが操作者によるＰＣ３１のウェブブラウザ３１００の操作で指定されると、当該ウェブブラウザ３１００が当該表示対象パーツの指定指示をサーバコンピュータＳＶ２に送信し、パーツ指定受付部２５２が、当該指定された表示対象パーツの指定を受け付ける。
【００３１】
レイアウト情報受付部２５４は、パーツ指定受付部２５２で指定が受け付けられた表示対象パーツについての表示画面内での配置を指示するレイアウト指示をユーザから受け付ける。例えば、ウェブブラウザ３１００を介してＰＣ３１の表示部３１３に表示するカスタマイズ画面中に、表示部５０の表示画面の背景画像のデータ（パネルクリエータ部２５に記憶されている）を用いて、当該表示画面の背景画像を擬似的に表示させ、当該背景画像中における任意の箇所がユーザによりＰＣ３１でウェブブラウザ３１００の操作により指定されると、当該ウェブブラウザ３１００が当該指定された箇所を示す情報をサーバコンピュータＳＶ２に送信する。レイアウト情報受付部２５４は、当該指定された箇所を上記指定された表示対象パーツの配置箇所として受け付ける。
【００３２】
アクション指示受付部２５３は、パーツ指定受付部２５２で指定された表示対象パーツに対して、当該表示対象パーツの組合せに対応するアクション（複合機１において実行可能な処理。例えば、警告音を発する等）を関連付けて設定する。すなわち、パーツ指定受付部２５２では、表示画面内に配置する表示対象パーツの指定が受け付けられるが、アクション指示受付部２５３は、当該受け付けられた表示対象パーツの組合せに対応付けて、複合機１のアクションを設定する。例えば、アクション指示受付部２５３は、「紙詰まりが発生しました。用紙を取り除いて下さい」という文字列の表示対象パーツがユーザにより指定された場合には、当該「紙詰まりが発生しました。用紙を取り除いて下さい」の表示対象パーツに対応付けるアクションとして「警告音を発する」を設定する。
【００３３】
生成部２５５は、機種指定受付部２５１で特定された表示能力情報、パーツ指定受付部２５２で受け付けられた上記表示対象パーツ、レイアウト情報受付部２５４で受け付けられた上記レイアウト指示、及びアクション指示受付部２５３で受け付けられた上記アクション設定が示す内容で、複合機１の表示部５０に表示させる表示画面の表示画面データをXML形式データで生成し、当該XML形式データをベースとするパネル制御情報を生成する。すなわち、ユーザは、ＰＣ３１のウェブブラウザ３１００において、機種指定受付部２５１での機種指定、パーツ指定受付部２５２での表示対象パーツ指定、レイアウト情報受付部２５４での上記レイアウト指示、及びアクション指示受付部２５３での上記アクション設定を行うと、生成部２５５による表示画面生成処理により、複合機１の表示部５０に表示させる表示画面を所望通りにカスタマイズして作成できる。本実施形態では、生成部２５５は、XML形式でScriptファイルに当該エラー発生時の表示画面の表示画面データ（パネル制御情報）をエクスポートする。なお、本実施形態では、表示画面のデータファイルとしてXML形式のScriptファイルを使用するが、システム構成上は、XML形式以外の他のマークアップ言語であっても構わない。
【００３４】
生成部２５５は、このように複合機１の表示部５０に表示させる表示画面の表示画面データを生成する。すなわち、表示能力情報、表示対象パーツ情報、レイアウト情報、及びアクション情報が互いに関連付けられており、当該表示能力情報、表示対象パーツ情報、レイアウト情報、及びアクション情報の組合せでなる表示画面データが、パネル制御情報となる。当該生成された各パネル制御情報は、通信部２８からＰＣ３１に送信される。
【００３５】
記憶部（表示画面データ記憶部）２６は、メモリ又はＨＤＤ等からなり、上記生成部２５５によって生成されたパネル制御情報を記憶する。この記憶部２６には、パネル制御情報を生成するアプリケーション（パネルクリエータ）がインストールされており、サーバコンピュータＳＶ２が備えるＣＰＵ等からなる中央制御部が、当該アプリケーションに従って動作することで、パネルクリエータ部２５として機能する。
【００３６】
パネルシミュレータ２７は、パネルクリエータ部２５によってエクスポートされた上記Scriptファイルの表示画面データであるパネル制御情報の内容を解析し、ディスプレイでの表示を可能にするために当該表示画面データをHTML形式のデータに変換するツールである。当該変換された当該HTML形式のデータは、例えばウェブブラウザ３１００を介してＰＣ３１の表示部３１３に表示される。
【００３７】
通信部２８は、ネットワークを介してＰＣ３１や複合機１との間でデータ入出力を行うインタフェイスである。通信部２８は、例えば、記憶部２６から読み出した表示画面データであるパネル制御情報をＰＣ３１又はサーバコンピュータＳＶ２に出力する。
【００３８】
ＰＣ３１は、制御部３１０と、記憶部３１１と、通信部３１２と、表示部３１３を備えている。
【００３９】
記憶部３１１は、ＨＤＤ等からなり、サーバコンピュータＳＶ２にアクセスして表示画面生成を行うためのプログラム等が記憶されている。
【００４０】
制御部３１０は、ＣＰＵ等からなり、ＰＣ３１の全体的な動作制御を司ると共に、記憶部３１１に記憶されている上記プログラムに従って動作することで、ウェブブラウザ３１００として機能する。
【００４１】
ウェブブラウザ３１００は、サーバコンピュータＳＶ２に対して、パネルクリエータ部２５の起動指示を送信し、パネルクリエータ部２５をWebアプリケーションとして起動させる。すなわち、ウェブブラウザ３１００は、上記カスタマイズ受付画面の表示データ等を、ＬＡＮを介してサーバコンピュータＳＶ２のパネルクリエータ部２５から受信して表示部３１３に表示させる。また、ウェブブラウザ３１００は、サーバコンピュータＳＶ２のパネルシミュレータ２７から、パネルクリエータ部２５で生成されてパネルシミュレータ２７によりHTML形式データに変換された表示画面データを表示用データとして受信して、ユーザによる確認用にＰＣ３１の表示部３１３に表示させる。
【００４２】
通信部３１２は、ＬＡＮ等のネットワークを介して複合機１等との間でデータ入出力を行うインタフェイスである。
【００４３】
なお、ＰＣ３１は、操作者による図略の操作部の操作に基づく制御部３１０による制御の下、サーバコンピュータＳＶ２から通信部３１２が受信したエラー時制御情報をUSBメモリ等の外部メモリに保存する図略のインタフェイスを備えていることが好ましい。
【００４４】
複合機１は、コントローラ１１と、記憶部１２と、プラットフォーム１３と、制御ユニット（Web container ）２００に備えられた拡張アプリケーション１５と、ブラウザ１６と、表示部５０とを有している。
【００４５】
複合機１の拡張アプリケーション１５は、主にScript Interpreter １５１と、Business Logic１５２と、登録部１５３とで構成される。
【００４６】
登録部１５３は、ＰＣ３１の通信部３１２からＬＡＮにより送られてきた（或いは、上記USBメモリ等から読み出された）上記Scriptファイルの表示画面データをベースとするパネル制御情報を、表示部５０での表示用データとして登録し、記憶部１２に記憶させる。登録部１５３は、パネル制御情報が複数送られてきた場合は、表示部５０での表示用データとしてそれぞれを登録して記憶部１２に記憶させる。
【００４７】
Script Interpreter１５１は、登録部１５３により記憶部１２に登録されたパネル制御情報を読み込んで内容を解析する。Script Interpreter １５１は、パネル制御情報が示す表示画面を表示部５０に表示するためのHTML変換処理と、パネル制御情報が示す表示対象パーツに関連付けられたアクションを実行するためのBusiness Logic１５２への展開処理とを行う。Script Interpreter １５１は、上記表示用にHTML形式への変換処理を行ったデータを、APIを介してBusiness Logic１５２に渡す。
【００４８】
Business Logic１５２は、ブラウザ１６に、Script Interpreter １５１から受け取った上記HTML変換処理済みの表示用データを送信する。また、Business Logic１５２は、上記Script Interpreter １５１から得られた情報を基に、複合機１によるアクションを制御する。
【００４９】
すなわち、Business Logic１５２は、複合機１のブラウザ１６により文字列等の表示対象パーツが表示部５０に表示されると、上記Script Interpreter１５１から渡された情報（Script Interpreter１５１によるScriptファイルの解析で得られた情報）を基に、表示対象パーツに関連付けられている複合機１のアクションを解析し、解析したアクションを実行するために、当該解析したアクションに対応するAPIを呼び出す。解析されたアクションはBusiness Logic１５２からコントローラ１１に渡される。
【００５０】
記憶部１２には、上記パネル制御情報、コントローラ１１として動作させるための動作プログラム、拡張アプリケーション１５のプログラム、ブラウザ１６のプログラム等が記憶されている。複合機１の中央制御部であるＣＰＵが、記憶部１２に記憶されている各プログラムに従って動作することで、上記のコントローラ１１、拡張アプリケーション１５、及びブラウザ１６等として機能する。なお、拡張アプリケーション１５のプログラムが、ＰＣ３１から受信等されて記憶部１２に記憶されたパネル制御情報を用いて、複合機１での表示部５０の表示画面の表示制御を行う。さらに、記憶部１２は、当該複合機１の表示部５０の表示能力を示す表示能力情報を記憶している。
【００５１】
プラットフォーム１３は、ＰＣ３１の通信部３１２からＬＡＮにより送られてきた（或いは、上記USBメモリ等から読み出した）上記Scriptファイルの表示画面データをベースとするパネル制御情報を受信し、登録部１５３に引き渡す。
【００５２】
API（application programming interface）は、ある制御機構で処理を行っている場合に、他のハードウエアやソフトウエアの提供している機能を利用するための手法として提供されるインタフェイスである。本実施形態では、APIは、例えば、複合機１のコントローラ１１によって実行される複合機１の基本機能を、ファームウェア以外から実行するためのインタフェイスとして用いられる。APIは、複合機１のプラットフォーム１３を通じて、複合機１のファームウェアに従って動作するコントローラ１１にアクセスして、複合機１の上記基本機能を実行させる。但し、本実施形態でのAPIの適用は当該例に限られない。
【００５３】
ブラウザ（処理実行部）１６は、上記Script Interpreter １５１及びBusiness Logic１５２から得た上記HTML変換処理済みの表示用データを表示部５０に表示させる。ブラウザ１６は、本実施形態では、拡張アプリケーション１５で変換されたHTML変換処理後のファイルが示す画面構成に合わせて表示画面を表示部５０に表示し、また、当該表示画面の表示中に、操作者からの指示入力操作を表示部５０のタッチパネル機能を介して受け付けるインタフェイスとなる。
【００５４】
すなわち、ＰＣ３１及びサーバコンピュータＳＶ２により生成部２５５での表示画面データ生成処理（パネル制御情報生成処理）までを行い、複合機１は、当該パネル制御情報をＰＣ３１から取得する。このＰＣ３１からの登録部１５３による表示画面データの取得は、当該ＬＡＮ等によるネットワーク通信での取得、USBメモリを介してのＰＣ３１からの取得、ＰＣ３１から電子メールにより複合機１が取得、のいずれでもよい。
【００５５】
複合機１では、ＰＣ３１で生成されて当該ＰＣ３１から送信されてきたパネル制御情報が登録部１５３に記憶されている場合、拡張アプリケーション１５のプログラムが、当該パネル制御情報を用いて、上記ファームウェアに代わって、表示部５０での表示画面を表示制御する。
【００５６】
次に、複合機１及びサーバコンピュータＳＶ２による表示画面生成のための通信処理の第１実施形態を説明する。図３は、複合機１及びサーバコンピュータＳＶ２による表示画面生成のための通信処理の第１実施形態を示すフローチャートである。
【００５７】
動作制御システム１０においては、複合機１の表示部５０に表示させる表示画面の表示画面データ生成のために、以下の通信及びデータ変換処理が行われる。
【００５８】
複合機１において、表示部５０での表示画面の表示の必要が生じると、プラットフォーム１３は、記憶部１２に記憶されている複合機１の表示能力情報と、表示部５０の表示画面データの送信要求とをサーバコンピュータＳＶ２に送信する（Ｆ１）。
【００５９】
サーバコンピュータＳＶ２では、通信部２８が当該表示能力情報及び送信要求を受信すると（ＳＳ１）、判定部２５７が、当該受信した複合機１の表示部５０の表示能力情報が、記憶部２６に記憶されており当該送信要求の対象となる表示画面データ（表示制御情報）の表示能力情報を超えるか否かを判定する（ＳＳ２）。
【００６０】
判定部２５７が、当該複合機１の表示部５０の表示能力情報が、当該送信要求の示す表示画面データの表示能力情報を超えると判定すると（ＳＳ２でＹＥＳ）、表示形態変更部２５８が、当該表示画面データの表示領域の拡大と、当該拡大された表示領域に合わせた表示対象パーツの配置変更とを、当該表示装置の表示能力情報に対して予め定められたルールに従って行う（ＳＳ３）。なお、判定部２５７が、当該複合機１の表示部５０の表示能力情報が、当該送信要求の示す表示画面データの表示能力情報を超えないと判定した場合は（ＳＳ２でＮＯ）、ＳＳ３の処理をスキップしてＳＳ４の処理に移る。
【００６１】
例えば、表示形態変更部２５８は、上記送信要求の対象となる表示画面データが、小さな表示パネルを有する表示装置用の表示画面データが示す表示画面であり（図４（ａ）参照）、当該複合機１の表示部５０が大きな表示パネルを有しており、当該表示部５０の表示能力に対しては、当該表示画面データの例えば解像度が低く情報量が足りない場合には、表示領域をなす背景画面の画像P1を当該大きな表示パネル用にサイズを拡大するというルールR1と、当該背景画面内に配置される各表示対象パーツP2を、図４（ｂ）に示すように、当該拡大された背景画面の所定領域Ａ内に元の大きさ及び間隔のままで配置するというルールR2と、これ以外の空き領域Ｂに、それまでの小さな表示パネル用の表示画面では小さく表示されていたステイタス情報を示す表示対象パーツP3を、当該ステイタス情報を更に詳細に表示する画像（例えば、情報量を増やした大きなパーツ）P4に変換した上で配置するというルールR3とに従って、上記送信要求の対象となる表示画面データの表示形態を変更する。なお、空き領域Ｂに、更に、予め定められた他の情報を示す画像P5を配置してもよい。これにより、表示対象パーツを単に拡大することによる画像品質の低下を避けつつ、必要なメッセージについては、空き領域を利用して、操作者に対して、より分かりやすく表示できる。
【００６２】
当該生成された表示画面データは、通信部２８が、上記送信要求を送信してきた複合機１に対して送信する（ＳＳ４）。
【００６３】
複合機１は、上記表示形態が変更された表示画面データをプラットフォーム１３がサーバコンピュータＳＶ２から受信する（Ｆ２）。受信された表示画面データは、登録部１５３により登録され（Ｆ３）、拡張アプリケーション１５及びブラウザ１６により表示可能な表示画面データとなる。
【００６４】
なお、上述したように、操作者が、ＰＣ３１において表示画面データ（パネル制御情報）をUSBメモリ等の外部メモリに保存し、当該USBメモリ等を介して複合機１に表示画面データが入力される場合は、当該複合機１からサーバコンピュータＳＶ２に対する送信要求は行われない。操作者が、ＰＣ３１の操作部又はウェブブラウザ３１００を操作することにより、ＰＣ３１に、サーバコンピュータＳＶ２に対して上記送信要求及び複合機１の表示能力情報を送信させる。サーバコンピュータＳＶ２は、当該送信要求及び表示能力情報に基づいて、ＳＳ２と、その判定結果に応じてＳＳ３の処理を行い、通信部２８が、表示画面データを、上記送信要求を送信してきたＰＣ３１に対して送信する。そして、このＰＣ３１のインタフェイスが当該表示画面データをUSBメモリ等の外部メモリに保存し、操作者が、当該USBメモリ等の外部メモリを用いて、当該表示画面データを複合機１に入力する。
【００６５】
次に、サーバコンピュータＳＶ２、ＰＣ３１乃至３４、及び複合機１の内部構成であって、表示画面データの生成処理、画面表示、及び動作制御に必要な構成の第２実施形態を説明する。図５は、第２実施形態に係る動作制御システム１０のサーバコンピュータ、ＰＣ及び複合機についてパネル制御情報の生成処理、表示部５０での画面表示、及び動作制御に必要な構成を示す図である。なお、第１実施形態と同様の構成は説明を省略する。すなわち、特に説明をしない限り、第２実施形態における構成は、第１実施形態と同様である。
【００６６】
第２実施形態では、上記複合機１の表示部５０の表示能力情報に応じた表示形態変更を、複合機１で行う。
【００６７】
第２実施形態における複合機１は、判定部１１２と、表示形態変更部１１３と、生成部１１４とを複合機１が有している。
【００６８】
判定部１１２は、プラットフォーム１３により、サーバコンピュータＳＶ２から表示画面データが当該表示画面データの表示能力情報と共に受信された場合、又は、USBメモリ等の外部メモリから表示画面データが当該表示画面データの表示能力情報と共に取得された場合に、記憶部１２に記憶されている表示部５０の表示能力情報が、当該表示画面データの表示能力情報を超えるか否かを判定する。
【００６９】
表示形態変更部１１３は、記憶部１２に記憶されている表示部５０の表示能力情報が、当該表示画面データの表示能力情報を超えると判定部１１２によって判定された場合に、第１実施形態におけるサーバコンピュータＳＶ２での表示形態変更部２５８と同様にして、表示画面データの表示領域の拡大と、当該拡大された表示領域に合わせた表示対象パーツの配置変更とを、当該表示装置の表示能力情報に対して上記と同様の予め定められたルールに従って行う。
【００７０】
なお、第２実施形態では、サーバコンピュータＳＶ２のパネルクリエータ部２５は、機種指定受付部２５１と、パーツ指定受付部２５２と、レイアウト情報受付部２５４と、アクション指示受付部２５３と、生成部２５５として機能する。すなわち、第２実施形態では、サーバコンピュータＳＶ２は、当該パネルクリエータ部２５で生成した表示画面データを複合機１又はＰＣ３１に送信するまでの処理を行う。
【００７１】
次に、第２実施形態に係る動作制御システム１０での複合機１及びサーバコンピュータＳＶ２による表示画面生成のための通信処理を説明する。図６は、第２実施形態に係る動作制御システム１０での複合機１及びサーバコンピュータＳＶ２による表示画面生成のための通信処理を示すフローチャートである。
【００７２】
複合機１において、表示部５０での表示画面の表示の必要が生じると、プラットフォーム１３は、表示部５０の表示画面データの送信要求をサーバコンピュータＳＶ２に送信する（Ｆ１１）。
【００７３】
サーバコンピュータＳＶ２では、通信部２８が当該送信要求を受信すると（ＳＳ１１）、記憶部２６から当該送信要求に対応する表示画面データ及び当該表示画面データの表示能力情報を読み出して複合機１に送信する（ＳＳ１２）。
【００７４】
複合機１では、プラットフォーム１３が当該表示画面データ及び表示能力情報を受信すると（Ｆ１２）、判定部１１２が、記憶部１２に記憶されている当該複合機１の表示部５０の表示能力情報が、当該受信した表示画面データの表示能力情報を超えるか否かを判定する（Ｆ１３）。
【００７５】
判定部１１２によって、当該複合機１の表示部５０の表示能力情報が、当該受信した表示画面データの表示能力情報を超えると判定されると（Ｆ１３でＹＥＳ）、表示形態変更部１１３が、当該表示画面データの表示領域の拡大と、当該拡大された表示領域に合わせた表示対象パーツの配置変更とを、上記第１実施形態と同様の予め定められたルールに従って行う（Ｆ１４）。
【００７６】
生成された表示画面データは、ブラウザ１６に渡され、当該ブラウザ１６が、この表示画面データに基づいて表示部５０に表示画面を表示させる（Ｆ１５）。
【００７７】
なお、操作者が、ＰＣ３１において表示画面データ（パネル制御情報）をUSBメモリ等の外部メモリに保存し、当該USBメモリ等を介して複合機１に表示画面データが入力される場合は、当該複合機１からサーバコンピュータＳＶ２に対しての送信要求は行われない。操作者が、ＰＣ３１の操作部又はウェブブラウザ３１００を操作することにより、ＰＣ３１に、サーバコンピュータＳＶ２に対する上記送信要求を送信させる。サーバコンピュータＳＶ２は、当該送信要求に基づいて、当該送信要求に対応する表示画面データを、通信部２８が記憶部２６から読み出し、読み出した表示画面データを、上記送信要求を送信してきたＰＣ３１に対して送信する。そして、ＰＣ３１が当該表示画面データを受信すると、そのインタフェイスが当該表示画面データをUSBメモリ等の外部メモリに保存し、操作者が、当該USBメモリ等の外部メモリを用いて、当該表示画面データを複合機１に入力する。
【００７８】
次に、ＰＣ３１及びサーバコンピュータＳＶ２による表示画面作成時の処理を説明する。当該表示画面作成時の処理は上記第１及び第２実施形態において同様であり、後述する第３及び第４実施形態においても同様である。図７は、ＰＣ３１及びサーバコンピュータＳＶ２による表示画面作成時の処理を示す図である。図８はカスタマイズ受付画面の一例を示す図である。
【００７９】
操作者は、例えば、ＰＣ３１の操作部（図略）を操作して、ウェブブラウザ３１００から、複合機１の表示部５０の表示画面の作成指示を入力する。操作者による当該表示画面作成指示の入力がウェブブラウザ３１００に受け付けられると（Ｐ１）、ウェブブラウザ３１００がサーバコンピュータＳＶ２に対してパネルクリエータ部２５の起動指示を送信する（Ｐ２）。
【００８０】
サーバコンピュータＳＶ２において、通信部２８を介して、パネルクリエータ部２５に上記パネルクリエータ起動指示が受信されると（ＳＳ１０１）、パネルクリエータ部２５が起動する（ＳＳ１０２）。
【００８１】
このとき、パーツ指定受付部２５２は、当該パネルクリエータ部２５の起動指示に応じて、表示対象パーツ記憶部２５０３に記憶されている各表示対象パーツの画像データを用いて、例えば、図８に例を示すような、カスタマイズ受付画面５４の表示データを生成し、当該表示データをＰＣ３１に送信する（ＳＳ１０３）。
【００８２】
ＰＣ３１のウェブブラウザ３１００が当該カスタマイズ受付画面５４の表示データを受信すると（Ｐ３）、ウェブブラウザ３１００は、ＰＣ３１の表示部３１３に、当該受信された表示データを用いてカスタマイズ受付画面５４を表示させる（Ｐ４）。
【００８３】
操作者は、ＰＣ３１において、ウェブブラウザ３１００を介して、所望の機種指定指示、表示対象パーツ指定指示、アクション選択指示、及びレイアウト指示を入力すると（Ｐ５）、当該受け付けた各指示をウェブブラウザ３１００がサーバコンピュータＳＶ２に送信する（Ｐ６）。すなわち、操作者は、ＰＣ３１のウェブブラウザ３１００を介してサーバコンピュータＳＶ２のパネルクリエータ部２５をWebアプリケーションとして操作する。
【００８４】
サーバコンピュータＳＶ２では、パネルクリエータ部２５の機種指定受付部２５１、パーツ指定受付部２５２、アクション指示受付部２５３、レイアウト情報受付部２５４が、ＰＣ３１からの機種指定、表示パーツ指定、アクション選択指示、及びレイアウト指示を受信する（ＳＳ１０４）。そして、生成部２５５が、当該受信された機種指定指示、エラー種別選択指示、表示パーツ指定、アクション選択指示、及びレイアウト指示を互いに関連付けて記憶する（ＳＳ１０５）。
【００８５】
操作者が、ＰＣ３１で、カスタマイズ受付画面５４において、複合機１のアクションの指定を行い、デフォルト画面５７０内に表示させたい文字列等の表示対象パーツボタンの指定及び配置を行い、カスタマイズ受付画面５４内の確定ボタン５８をマウス等によりクリックし、操作者からの当該指定及び配置の終了指示が入力されると（Ｐ７でＹＥＳ）、ウェブブラウザ３１００が表示画面生成終了を示す終了指示をサーバコンピュータＳＶ２に送信する（Ｐ８）。
【００８６】
サーバコンピュータＳＶ２において、パネルクリエータ部２５が当該終了指示を受信すると（ＳＳ１０６）、生成部２５５が、当該受信された機種指定指示、表示パーツ指定指示、アクション選択指示、及びレイアウト指示が示す内容で、複合機１の表示部５０にエラー発生時に表示させる表示画面の表示画面データをベースとするパネル制御情報を、XML形式でScriptファイルにエクスポートして生成する（ＳＳ１０７）。当該生成されたScriptファイルからなるパネル制御情報は、パネルクリエータ部２５により記憶部２６に保存される（ＳＳ１０８）。通信部２８は、当該記憶部２６に保存されたパネル制御情報をＰＣ３１に送信する（ＳＳ１０９）。
【００８７】
ＰＣ３１において、ウェブブラウザ３１００が、上記サーバコンピュータＳＶ２の通信部２８から送られてくるパネル制御情報を受信し、記憶部３１１に記憶させる（Ｐ９）。
【００８８】
なお、この通信部２８によるＰＣ３１へのパネル制御情報の送信処理（ＳＳ１０９）は、操作者による操作に基づいてＰＣ３１から送信要求がある場合に行われ、ＰＣ３１から送信要求がない場合には、ＳＳ１０８でのパネル制御情報の記憶部２６への保存で処理は終了する。
【００８９】
ＰＣ３１において、操作者による図略の操作部の操作で、ＰＣ３１に複合機１への当該パネル制御情報の送信指示が受け付けられると、通信部３１２は、当該パネル制御情報をＬＡＮ等により複合機１に送信する。或いは、操作者による図略の操作部の操作で、USBメモリ等の外部メモリへの保存指示がＰＣ３１に受け付けられると、制御部３１０は、当該パネル制御情報を図略のインタフェイスによりＬＡＮ等によりUSBメモリ等の外部メモリに保存する。
【００９０】
複合機１において、上記パネル制御情報が登録部１５３によりＬＡＮ又はUSBメモリ等から取得されると、登録部１５３が、当該パネル制御情報を記憶部１２に記憶させる。これにより、複合機１では、拡張アプリケーション１５のプログラムが、当該パネル制御情報を用いて、上記ファームウェアに代わって、表示部５０での表示画面を表示制御する。
【００９１】
なお、この場合、ＰＣ３１及びサーバコンピュータＳＶ２の両者が連携して、特許請求の範囲でいう情報処理装置の一例をなす。
【００９２】
次に、サーバコンピュータＳＶ２、ＰＣ３１乃至３４、及び複合機１の内部構成であって、画面データの生成処理、画面表示、及び動作制御に必要な構成の第３実施形態を説明する。図９は、第３実施形態に係る動作制御システム１０のサーバコンピュータ、ＰＣ及び複合機について動作制御プログラムの生成処理、表示部５０での画面表示、及び動作制御に必要な構成を示す図である。なお、第１又は第２実施形態と同様の構成は説明を省略する。すなわち、特に説明をしない限り、第３実施形態における構成は、第１又は第２実施形態と同様である。
【００９３】
サーバコンピュータＳＶ２は、第１及び第２実施形態と同様に、パネルクリエータ部２５を備える。
【００９４】
パネルクリエータ部２５は、事象情報記憶部２５０１と、事象重要度算出部２５０２と、表示対象パーツ記憶部２５０３と、表示形態変更部２５０４と、パーツ指定受付部２５０５と、レイアウト情報受付部２５０７と、アクション指示受付部２５０６と、生成部２５０８とを備える。
【００９５】
事象情報記憶部２５０１は、通信部２８によって、複合機１から受信される事象情報を記憶する。当該事象とは、複合機１において生じ得る現象、例えば、複合機１において生じたエラー、エラーからの復旧、サプライ品の交換時期の到来、複合機１の各機構についての故障等である。
【００９６】
事象重要度算出部２５０２は、事象情報記憶部２５０１に記憶されている各事象情報に基づいて、事象種別毎に事象重要度を算出する。例えば、事象情報記憶部２５０１に、事象情報として、複合機１で生じるエラーを示すエラー情報が記憶されている場合、各エラー情報がサーバコンピュータＳＶ２に受信された日時に基づいて、各エラー情報が示すエラー種別毎にエラー発生頻度を、事象重要度として算出する。
【００９７】
表示対象パーツ記憶部２５０３は、複合機１の表示部５０の表示画面を構成する要素となる表示対象パーツを、上記事象種別毎に記憶している。
【００９８】
記憶部２６は、操作者によるパーツ指定受付部２５２、レイアウト情報受付部２５４、及びアクション指示受付部２５３の操作の下、生成部２５５によって生成された表示画面データを、当該表示画面データの表示に必要な表示能力情報と共に記憶する。
【００９９】
表示形態変更部２５０４は、事象重要度算出部２５０２によって算出された事象重要度に応じて記憶部２６に記憶されている表示画面データに含まれている各事象種別毎の表示対象パーツの各表示形態を、事象重要度算出部２５０２によって算出された事象重要度に応じて変更する。例えば、事象重要度算出部２５０２によって、上記エラー発生頻度が算出される場合、表示形態変更部２５０４は、各エラー種別のエラー発生頻度に応じて、各エラー種別毎に対応付けて用意されている表示対象パーツの大きさを変更する等の処理を行う。
【０１００】
パーツ指定受付部２５０５は、複合機１で生じた各事象を表すために、当該複合機１の表示部５０の表示画面内に各事象に対応させて表示させる例えば文字列や、当該文字列と共に表示させる操作ボタン等でなる表示対象パーツの指定を、ＰＣ３１からウェブブラウザ３１００を介して操作者から受け付ける。操作者が指定可能な複数の表示対象パーツの画像データは、上記表示対象パーツ記憶部２５０３に記憶されている。パーツ指定受付部２５０５は、ＰＣ３１のウェブブラウザ３１００からパネルクリエータ部２５の起動指示を受け取ったとき、表示対象パーツ記憶部２５０３に記憶されている各事象種別毎に対応付けられたそれぞれの表示対象パーツの画像データをウェブブラウザ３１００に引き渡す。
【０１０１】
例えば、ユーザによるＰＣ３１のウェブブラウザ３１００の操作により当該ウェブブラウザ３１００からパネルクリエータ部２５のパーツ指定受付部２５０５に、当該パネルクリエータ部２５の起動指示が受け付けられると、パネルクリエータ部２５のパーツ指定受付部２５０５は、ウェブブラウザ３１００に、上記各事象種別毎に対応付けられたそれぞれの表示対象パーツを含むカスタマイズ受付画面の表示データを提供する。ウェブブラウザ３１００は、ＰＣ３１の表示部３１３に当該カスタマイズ受付画面を表示させる。このカスタマイズ受付画面は、上記表示対象パーツ等を表示した画面である。当該カスタマイズ受付画面で表示中の表示対象パーツから、所望の表示対象パーツがウェブブラウザ３１００の操作で操作者により指定されると、当該ウェブブラウザ３１００が当該表示対象パーツの指定指示をサーバコンピュータＳＶ２に送信し、パーツ指定受付部２５０５が、当該指定指示が示す表示対象パーツの指定を受け付ける。
【０１０２】
レイアウト情報受付部２５０７は、パーツ指定受付部２５０５で指定が受け付けられた表示対象パーツについての表示画面内での配置を指示するレイアウト指示をユーザから受け付ける。
【０１０３】
アクション指示受付部２５０６は、パーツ指定受付部２５０５で指定された表示対象パーツに対して、当該表示対象パーツの組合せに対応するアクション（複合機１において実行可能な処理。例えば、警告音を発する等）を関連付けて設定する。
【０１０４】
生成部２５０８は、パーツ指定受付部２５０５で受け付けられた上記表示対象パーツ、レイアウト情報受付部２５０７で受け付けられた上記レイアウト指示、及びアクション指示受付部２５０６で受け付けられた上記アクション設定が示す内容で、複合機１におけるエラー発生時に表示部５０に表示させる表示画面の画面データをXML形式データで生成し、当該XML形式データをベースとするパネル制御情報を生成する。すなわち、ユーザは、ＰＣ３１のウェブブラウザ３１００において、パーツ指定受付部２５０５での表示対象パーツ指定、レイアウト情報受付部２５０７での上記レイアウト指示、及びアクション指示受付部２５０６での上記アクション設定を行うと、生成部２５０８による表示画面生成処理により、複合機１の表示部５０に表示させる例えばエラー発生時の表示画面を所望通りにカスタマイズして作成できる。
【０１０５】
生成部２５０８は、このように複合機１の表示部５０に表示させる表示画面の画面データを生成する。すなわち、表示対象パーツ情報、レイアウト情報、及びアクション情報が互いに関連付けられており、当該表示対象パーツ情報、レイアウト情報、及びアクション情報の組合せでなる表示画面データが、パネル制御情報となる。当該生成された各パネル制御情報は、通信部２８からＰＣ３１に送信される。
【０１０６】
記憶部２６は、メモリ又はＨＤＤ等からなり、上記生成部２５０８によって生成されたパネル制御情報を記憶する。この記憶部２６には、パネル制御情報を生成するアプリケーション（パネルクリエータ）がインストールされており、サーバコンピュータＳＶ２が備えるＣＰＵ等からなる中央制御部が、当該アプリケーションに従って動作することで、パネルクリエータ部２５として機能する。
【０１０７】
なお、ＰＣ３１は、制御部３１０と、記憶部３１１と、通信部３１２と、表示部３１３を備え、ウェブブラウザ３１００は、サーバコンピュータＳＶ２に対して、パネルクリエータ部２５の起動指示を送信し、パネルクリエータ部２５をWebアプリケーションとして起動させる。ＰＣ３１は、第１又は第２実施形態におけるＰＣ３１と同様の構成である。
【０１０８】
また、複合機１は、第１実施形態における複合機１の構成に加え、その中央制御部であるＣＰＵが、上記動作プログラムに従って動作することにより、事象検知部１１ａとしても機能する。事象検知部１１ａは、複合機１の動作中における各部で生じ得る事象（例えば、上述したエラー等）を検知する。事象検知部１１ａが上記事象としてエラーを検知する場合、当該エラーは、例えば、複合機１に設けられた給紙カセットから排出トレイまでを繋ぐ用紙搬送路や、原稿給送部の原稿搬送機構等における紙詰まり等である。この場合、事象検知部１１ａは、これらの用紙搬送路に設けられた用紙センサから送られてくる紙詰まり検知信号等に基づいて、複合機１の各部で発生したエラーを検知する。
【０１０９】
上記事象検知部１１ａによって上記事象が検知されると、事象検知部１１ａは、当該検知した事象を示す事象情報をプラットフォーム１３に渡す。プラットフォーム１３は、サーバコンピュータＳＶ２に対して当該事象情報を送信する。
【０１１０】
次に、第３実施形態に係る動作制御システム１０での複合機１及びサーバコンピュータＳＶ２による表示画面生成のための通信処理を説明する。図１０は、第３実施形態に係る動作制御システム１０での複合機１及びサーバコンピュータＳＶ２による表示画面生成のための通信処理を示すフローチャートである。図１１（ａ）（ｂ）は、表示画面の一例を示す図である。
【０１１１】
第３実施形態に係る動作制御システム１０においては、複合機１の表示部５０に表示させる表示画面の画面データ生成のために、以下の通信が行われる。複合機１の事象検知部１１ａが、複合機１の動作中に複合機１の各部で生じ得るエラーを検知する場合を例にして説明する。
【０１１２】
複合機１において、その事象検知部１１ａが、複合機１でその動作中に生じたエラーを検出すると（Ｆ５１でＹＥＳ）、プラットフォーム１３がサーバコンピュータＳＶ２に対して、当該検出されたエラーの種別（例えば、用紙搬送路での紙詰まり、定着装置での紙詰まり、A4サイズの用紙切れ、B5サイズの用紙切れ等のいずれか）を示すエラー情報を送信する（Ｆ５２）。
【０１１３】
サーバコンピュータＳＶ２では、通信部２８が当該エラー情報を受信すると（ＳＳ５１）、事象情報記憶部２５０１が当該受信されたエラー情報を記憶する（ＳＳ５２）。
【０１１４】
上記複合機１におけるエラー検知及びエラー情報送信（Ｆ５１，Ｆ５２）と、サーバコンピュータＳＶ２におけるエラー情報の受信及び記憶（ＳＳ５１，ＳＳ５２）は、複合機１の事象検知部１１ａがエラーを検出する度に行われる。
【０１１５】
サーバコンピュータＳＶ２において、事象重要度算出部２５０２は、事象情報記憶部２５０１に記憶されている各エラー情報に基づいて、エラー種別毎に事象重要度を算出する（ＳＳ５３）。例えば、事象情報記憶部２５０１に、エラー情報として、用紙搬送路での紙詰まり、定着装置での紙詰まり、A4サイズの用紙切れ、B5サイズの用紙切れを示す情報が記憶されている場合、事象重要度算出部２５０２は、各エラー情報がサーバコンピュータＳＶ２に受信されて事象情報記憶部２５０１に記憶されたそれぞれの日時に基づいて、各エラー種別のエラー発生頻度（各エラー種別を示すエラー情報が所定期間内にいくつ記憶されたか）を算出する（ＳＳ５３）。例えば、事象重要度算出部２５０２は、各エラー種別のエラー情報について、最初にエラー情報が受信及び記憶された日時から1週間内に受信及び記憶された数を上記エラー発生頻度として算出する。
【０１１６】
続いて、表示形態変更部２５０４は、記憶部２６に記憶されている表示画面データに含まれている各エラー種別毎の表示対象パーツの各表示形態を、事象重要度算出部２５０２によって算出されたエラー発生頻度に応じて変更する（ＳＳ５４）。例えば、表示形態変更部２５０４は、当該算出されたエラー発生頻度が高くなるに連れて、図１１（ａ）示すような変更前の表示画面データが示す表示画面Ｃを、当該エラー発生頻度の算出対象とされたエラー種に対応付けて用意されている表示対象パーツの大きさを拡大する等の処理を行って、図１１（ｂ）に示すように、エラー内容を示すメッセージ画像P6と、エラー発生歌詞を示すP7とを拡大した表示画面とする表示画面データとする。
【０１１７】
通信部２８は、当該表示形態が変更された表示画面データを複合機１に対して送信する（ＳＳ２５）。
【０１１８】
複合機１では、プラットフォーム１３が当該表示画面データを受信して、登録部１５３が上記登録を行い（Ｆ５３）、拡張アプリケーション１５及びブラウザ１６による当該表示画面データを用いての表示部５０への表示が行われる（Ｆ５４）。
【０１１９】
なお、操作者が、ＰＣ３１において表示画面データ（パネル制御情報）をUSBメモリ等の外部メモリに保存し、当該USBメモリ等を介して複合機１に表示画面データが送出される場合は、当該複合機１からサーバコンピュータＳＶ２に対しての上記送信要求は行われない。操作者が、ＰＣ３１の操作部又はウェブブラウザ３１００を操作することにより、ＰＣ３１からサーバコンピュータＳＶ２に対して、上記送信要求を送信させる。サーバコンピュータＳＶ２では、通信部２８が、当該送信要求に対応する表示画面データを記憶部２６から読み出して、当該読み出した表示画面データを、上記送信要求を送信してきたＰＣ３１に対して送信する。そして、ＰＣ３１が当該表示画面データを受信すると、そのインタフェイスが表示画面データをUSBメモリ等の外部メモリに保存し、操作者が、当該USBメモリ等の外部メモリを用いて、当該表示画面データを複合機１に入力する。
【０１２０】
複合機１における上記表示画面データ（パネル制御情報）及び拡張アプリケーション１５による表示部５０の表示制御は、第１又は第２実施形態に係る動作制御システム１０における複合機１の場合と同様にして行われる。
【０１２１】
次に、サーバコンピュータＳＶ２、ＰＣ３１乃至３４、及び複合機１の内部構成であって、表示画面データの生成処理、画面表示、及び動作制御に必要な構成の第４実施形態を説明する。図１２は、第４実施形態に係る動作制御システム１０のサーバコンピュータ、ＰＣ及び複合機についてパネル制御情報の生成処理、表示部５０での画面表示、及び動作制御に必要な構成を示す図である。なお、第１乃至第３実施形態と同様の構成は説明を省略する。すなわち、特に説明をしない限り、第４実施形態における構成は、第１乃至第３実施形態と同様である。
【０１２２】
第４実施形態では、事象重要度に応じた表示形態変更を、複合機１で行う。このため、第４実施形態における複合機１は、事象重要度算出部１１６と、事象情報記憶部１１７と、表示形態変更部１１８とを複合機１が有している。
【０１２３】
事象情報記憶部１１７は、事象検知部１１ａによって検知された事象を示す各事象情報を記憶する。
【０１２４】
事象重要度算出部１１６は、事象情報記憶部１１７に記憶されている各事象情報に基づいて、事象種別毎に事象重要度を算出する。
【０１２５】
表示形態変更部１１８は、事象重要度算出部１１６によって算出された事象重要度に応じて記憶部１２に記憶されている表示画面データに含まれている各事象種別毎の表示対象パーツの各表示形態を、事象重要度算出部１１６によって算出された事象重要度に応じて変更する。
【０１２６】
なお、第４実施形態では、サーバコンピュータＳＶ２のパネルクリエータ部２５は、表示対象パーツ記憶部２５０３と、パーツ指定受付部２５０５と、レイアウト情報受付部２５０７と、アクション指示受付部２５０６と、生成部２５０８として機能する。
【０１２７】
次に、第４実施形態に係る複合機１及びサーバコンピュータＳＶ２による表示画面生成のための通信処理を説明する。図１３は、複合機１及びサーバコンピュータＳＶ２による表示画面生成のための通信処理の第４実施形態を示すフローチャートである。以下には、複合機１の事象検知部１１ａが、複合機１の動作中に複合機１の各部で生じ得るエラーを検知する場合を例にして説明する。
【０１２８】
複合機１の登録部１５３は、サーバコンピュータＳＶ２又はＰＣ３１との通信により、或いは、USBメモリ等の外部メモリからのデータ読取により、上記サーバコンピュータＳＶ２のパネルクリエータ部２５で生成された表示画面データを取得する（Ｆ６１）。
【０１２９】
複合機１では、複合機１の動作中、事象検知部１１ａが、複合機１でその動作中に生じたエラーを検知している（Ｆ６２）。事象検知部１１ａによって検知された各エラー種別のそれぞれのエラー情報は、事象情報記憶部１１７に記憶される（Ｆ６３）。事象重要度算出部１１６は、事象情報記憶部１１７に記憶されている各エラー情報に基づいて、エラー種別毎に事象重要度としてエラー頻度を算出する（Ｆ６４）。
【０１３０】
表示形態変更部１１８は、上記取得されて記憶部１２に記憶されている表示画面データに含まれる各エラー種別毎の表示対象パーツの各表示形態を、事象重要度算出部１１６によって算出されたエラー発生頻度に応じてそれぞれ変更する（Ｆ６５）。
【０１３１】
この後、拡張アプリケーション１５及びブラウザ１６により、上記表示対象パーツの表示形態が変更された表示画面データの示す表示画面が表示部５０に表示される（Ｆ６６）。
【０１３２】
なお、本発明は、上記実施の形態の構成に限られず種々の変形が可能である。例えば、上記各実施形態に示した動作制御システム１０では、ＰＣ３１のウェブブラウザ３１００を介して、操作者によりサーバコンピュータＳＶ２のパネルクリエータ部２５が操作され、このパネルクリエータ部２５により上記パネル制御情報の生成処理が行われるが、サーバコンピュータＳＶ２に設けられた図略の操作部を操作者が操作することにより、操作者によるサーバコンピュータＳＶ２の操作で、当該サーバコンピュータＳＶ２においてパネル制御情報が生成され、生成されたパネル制御情報がサーバコンピュータＳＶ２の通信部２８からＬＡＮ等を通じて複合機１に送信されるようにしてもよい。複合機１では、登録部１５３が、サーバコンピュータＳＶ２の通信部２８から上記パネル制御情報を受け取って、記憶部１２に記憶させる。なお、当該生成処理時に必要な画面表示は、パネルクリエータ部２５及びパネルシミュレータ２７等により表示部２４に表示される。
【０１３３】
この場合、ＰＣ３１は不要であり、サーバコンピュータＳＶ２が、特許請求の範囲における情報処理装置の一例となる。
【０１３４】
また、図１４に示すように、第１実施形態に係る動作制御システム１０において、サーバコンピュータＳＶ２とは別個のサーバＳＶ３が更に設けられ、当該サーバＳＶ３が、サーバコンピュータＳＶ２に代わって判定部２５７及び表示形態変更部２５８を備え、サーバコンピュータＳＶ２から取得した表示画面データ（パネル制御情報）についての上記表示形態変更処理を行い、当該表示形態変更処理後の表示画面データを複合機１に送信するものとしてもよい。サーバＳＶ３における通信部２８は、サーバコンピュータＳＶ２の通信部２８と同様の機能を有する。
【０１３５】
さらに、図１５に示すように、第３実施形態に係る動作制御システム１０において、サーバコンピュータＳＶ２とは別個のサーバＳＶ３が更に設けられ、当該サーバＳＶ３が、サーバコンピュータＳＶ２に代わって事象情報記憶部２５０１、事象重要度算出部２５０２、及び表示形態変更部２５０４とを備え、サーバコンピュータＳＶ２から取得した表示画面データ（パネル制御情報）についての上記表示形態変更処理を行い、当該表示形態変更処理後の表示画面データをサーバＳＶ３から複合機１に送信するものとしてもよい。サーバＳＶ３における通信部２８は、サーバコンピュータＳＶ２の通信部２８と同様の機能を有する。
【０１３６】
また、上記各実施形態では、パネルクリエータ部２５は、アクション指示受付部２５３を備え、アクション設定処理を行い、パネル制御情報にアクション設定を含めるものとしているが、パネルクリエータ部２５がアクション指示受付部２５３を備えず、アクション設定処理を行わないものとし、パネル制御情報が、表示対象パーツ及びレイアウト情報を備えるものとしてもよい。この場合、複合機１では、拡張アプリケーション１５により、当該パネル制御情報を用いて、上記エラー発生時に、発生した事象に対応する表示対象パーツ及びレイアウト情報が示す表示画面の表示が行われ、発生した事象に対応するアクションの実行は行われない。
【０１３７】
上記図１乃至図１５に示した構成及び処理は、本発明の実施形態の例示に過ぎず、本発明を上記実施形態に限定する趣旨ではない。例えば、複合機１においてはプラットフォーム１３がＰＣ３１又はサーバコンピュータＳＶ２とのパネル制御情報に関する通信を行うものとして説明しているが、複合機１では登録部１５３がＰＣ３１又はサーバコンピュータＳＶ２との当該通信を行うものとしてもよいし、これらとは別個に、ＰＣ３１又はサーバコンピュータＳＶ２の当該通信を行う通信部を有し、当該通信部がＰＣ３１又はサーバコンピュータＳＶ２との当該通信を担当することとしてもよい。
【０１３８】
また、上記実施形態で示した複合機１は、本発明に係る電気機器の一例に過ぎず、本発明に係る電気機器は、複合機１及び画像形成装置以外に、他の電気機器であっても構わない。
【符号の説明】
【０１３９】
１０        動作制御システム
１          複合機
１１        コントローラ
１１ａ      事象検知部
１１２      判定部
１１３      表示形態変更部
１１４      生成部
１１６      事象重要度算出部
１１７      事象情報記憶部
１１８      表示形態変更部
１５３      登録部
１２        記憶部
１３        プラットフォーム
１５        拡張アプリケーション
１６        ブラウザ
２４        表示部
２５        パネルクリエータ部
２６        記憶部
２８        通信部
５０        表示部
ＳＶ２      サーバコンピュータ
２５１      機種指定受付部
２５２，２５０５  パーツ指定受付部
２５３，２５０６  アクション指示受付部
２５４，２５０７  レイアウト情報受付部
２５５，２５０８  生成部
２５７      判定部
２５８      表示形態変更部
２５０１    事象情報記憶部
２５０２    事象重要度算出部
２５０３    表示対象パーツ記憶部
２５０４    表示形態変更部
３１乃至３４  パソコン
３１０      制御部
３１１      記憶部
３１２      通信部
３１３      表示部
３１００    ウェブブラウザ
ＳＶ３      サーバ
【図１】
0005608775.tif 000002
【図２】
0005608775.tif 000003
【図３】
0005608775.tif 000004
【図４】
0005608775.tif 000005
【図５】
0005608775.tif 000006
【図６】
0005608775.tif 000007
【図７】
0005608775.tif 000008
【図８】
0005608775.tif 000009
【図９】
0005608775.tif 000010
【図１０】
0005608775.tif 000011
【図１１】
0005608775.tif 000012
【図１２】
0005608775.tif 000013
【図１３】
0005608775.tif 000014
【図１４】
0005608775.tif 000015
【図１５】
0005608775.tif 000016